(57)【要約】【課題】  キーボードレス等の家電の特徴は残しつつ、簡易に情報家電端末の利用者を特定する。【解決手段】  情報家電端末の利用が許可されている利用者の指紋情報を登録し、登録されている指紋情報と入力された指紋情報とを照合して認証を行い、この認証が成功したときにリモコン制御を有効にする。【選択図】  図１
2006180379.tif 000002
【特許請求の範囲】
【請求項１】
情報家電端末を遠隔から制御する手段を備えたリモートコントローラ装置において、
利用者が指紋を入力する指紋入力手段と、
前記情報家電端末の利用が許可されている利用者の指紋情報を登録する指紋登録手段と、
登録されている前記指紋情報と入力された指紋情報とを照合して認証する指紋認証手段と、
この指紋認証手段による認証が成功したときに前記制御する手段を有効にする手段と
を備えたことを特徴とするリモートコントローラ装置。
【請求項２】
前記指紋登録手段への前記指紋情報の登録と共に当該利用者の識別情報（ＩＤ）を登録する手段と、
この登録する手段により登録された前記識別情報を前記情報家電端末に送信する手段と
を備えた請求項１記載のリモートコントローラ装置。
【請求項３】
情報家電端末を遠隔から制御する手段を備えたリモートコントローラ装置において、
利用者が指紋を入力する指紋入力手段と、
この指紋入力手段に入力された指紋情報を送信する指紋情報送信手段と、
認証結果を受信する手段と、
この受信する手段により受信された認証結果により認証成功が通知されたときに前記制御する手段を有効にする手段と
を備えたことを特徴とするリモートコントローラ装置。
【請求項４】
情報家電端末の利用が許可されている利用者の指紋情報を登録する指紋登録手段と、
リモートコントローラ装置から送信された指紋情報を受信する手段と、
この受信する手段により受信された指紋情報と前記指紋登録手段に登録されている前記指紋情報とを照合して認証する指紋認証手段と、
この指紋認証手段による認証結果を前記リモートコントローラ装置に送信する手段と
を備えた認証装置。
【請求項５】
請求項４記載の認証装置を備えた情報家電端末。
【請求項６】
前記指紋入力手段を電源投入スイッチに備えた請求項１または３記載のリモートコントローラ装置。
【請求項７】
複数のコンテンツ蓄積領域のいずれかを選択する複数の選択スイッチを備え、
前記指紋入力手段を当該選択スイッチに備えた請求項１または３記載のリモートコントローラ装置。
【請求項８】
前記選択スイッチ毎に指紋入力を行う利用者をそれぞれ登録する手段と、
この登録する手段に登録された前記選択スイッチと利用者との組み合わせ以外の組み合わせによる指紋認証を拒否する手段と
を備えた請求項７記載のリモートコントローラ装置。
【請求項９】
情報家電端末を遠隔からリモートコントローラ装置を用いて制御する遠隔制御方法において、
前記リモートコントローラ装置は、
利用者が指紋を入力する指紋入力ステップと、
前記情報家電端末の利用が許可されている利用者の指紋情報を登録する指紋登録ステップと、
登録されている前記指紋情報と入力された指紋情報とを照合して認証する指紋認証ステップと、
この指紋認証ステップによる認証が成功したときに前記情報家電端末に対する遠隔制御を有効にするステップと
を実行することを特徴とする遠隔制御方法。
【請求項１０】
前記リモートコントローラ装置は、
前記指紋登録ステップにおける前記指紋情報の登録と共に当該利用者の識別情報（ＩＤ）を登録するステップと、
この登録するステップにより登録された前記識別情報を前記情報家電端末に送信するステップと
を実行する請求項９記載の遠隔制御方法。
【発明の詳細な説明】
【技術分野】
【０００１】
本発明は、家庭などにおいてＴＶやＤＶＤレコーダ等の情報家電端末を遠隔制御するリモートコントローラ装置に利用する。特に、セキュリティ技術に関する。
【背景技術】
【０００２】
現在一般に用いられているリモートコントローラ装置では、ＴＶやＤＶＤレコーダ等の情報家電端末を操作する機能のみであり、その情報家電端末を操作している利用者が誰であるかを特定する機能はついていない。一方、携帯電話端末等では、指紋センサ機能付きの端末も市販されている（例えば、非特許文献１参照）。
【０００３】
【非特許文献１】“ＮＴＴ  ＤｏＣｏＭｏ  Ｆ９００ｉＣ”、［ｏｎｌｉｎｅ］、［平成１６年１１月１６日検索］、インターネット＜ＵＲＬ：ｈｔｔｐ：／／ｗｗｗ．ｎｔｔｄｏｃｏｍｏ．ｃｏ．ｊｐ／ｐ＿ｓ／ｓｅｒｖｉｃｅ／ｆｅｌｉｃａ／ｆ／ｌｉｎｅｕｐ．ｈｔｍｌ＞
【発明の開示】
【発明が解決しようとする課題】
【０００４】
しかしながら近年の情報家電端末、例えば、ＨＤＤ内蔵ＤＶＤレコーダなどは端末内に数１００ＧＢのＨＤＤを持ち、多くの個人所有のコンテンツが入っている。通常は、家庭内で私的に録画したコンテンツであり利用者を特定する必要はないが、今後は家庭内においても自分だけのコンテンツ、家族であっても見られたくないコンテンツ等が増えてくると考えられ、利用者を特定することが必要になると思われる。
【０００５】
また、インターネット接続のできる情報家電端末が増えている。現在はＥＰＧ等の番組情報を収集する等の限られた用途のみであるが、今後、蓄積されているコンテンツを配信したり、インターネットから直接、情報家電端末にダウンロードしたコンテンツを視聴したりするなどの用途が考えられる。
【０００６】
このような用途の場合に、安全に使用するためのセキュリティの確保が重要となっている。現状では携帯電話端末やパーソナル・コンピュータなどにおいては、パスワード入力や指紋認証機能を付加することにより、利用者を認証するシステムの導入が進んでいる。さらに今後は情報家電端末の利用者を限定して、例えば、家族や許可された利用者のみが利用できるようにすることが重要となってくることが予想される。
【０００７】
しかし、通常、情報家電端末にはキーボード等の簡易に文字を入力することのできる装置が付いていないことが多く、さらに利用者の特定のためだけにキーボード等を付属させることは考えにくく、このような家電の特徴は残しつつ利用者の特定をする方法が必要となる。
【０００８】
このような問題への対処として考えられる方法の一つにＩＣカード等を用いるという方法もある。しかし、現状ではＩＣカードは機器に装着したままで使用され、機器毎または家族で一枚の所有であり、利用者が別々のＩＣカードを所有して使用する度に自分用のＩＣカードを抜き差しして使用することは非常に煩雑であり利便性にかける、さらにＩＣカードは紛失した場合などのリスクがあるといった課題もある。
【０００９】
本発明は、このような背景に行われたものであって、キーボードレス等の家電の特徴は残しつつ、簡易に情報家電端末の利用者を特定するために用いることのできるリモートコントローラ装置を提供することにより、安全かつ便利な情報家電端末の提供に資することを目的とする。
【課題を解決するための手段】
【００１０】
本発明の第一の観点は、情報家電端末を遠隔から制御する手段を備えたリモートコントローラ装置であって、本発明の特徴とするところは、利用者が指紋を入力する指紋入力手段と、前記情報家電端末の利用が許可されている利用者の指紋情報を登録する指紋登録手段と、登録されている前記指紋情報と入力された指紋情報とを照合して認証する指紋認証手段と、この指紋認証手段による認証が成功したときに前記制御する手段を有効にする手段とを備えたところにある（請求項１）。
【００１１】
これにより複雑なキーボード操作等を必要とせずに、簡単な操作で情報家電端末の利用者を特定することができる。
【００１２】
前記指紋登録手段への前記指紋情報の登録と共に当該利用者の識別情報（ＩＤ）を登録する手段と、この登録する手段により登録された前記識別情報を前記情報家電端末に送信する手段とを備えることができる（請求項２）。
【００１３】
これによれば、情報家電端末がネットワーク接続可能な場合であって、ネットワークを利用するための利用者認証に当該利用者の識別情報を必要とするときに、利用者は、本発明のリモートコントローラ装置の前記登録する手段に登録された識別情報を情報家電端末に送信すれば、利用者は情報家電端末を使用する度に自分の識別情報を入力し直す手間を省くことができる。
【００１４】
あるいは、本発明は、情報家電端末を遠隔から制御する手段を備えたリモートコントローラ装置であって、本発明の特徴とするところは、利用者が指紋を入力する指紋入力手段と、この指紋入力手段に入力された指紋情報を送信する指紋情報送信手段と、認証結果を受信する手段と、この受信する手段により受信された認証結果により認証成功が通知されたときに前記制御する手段を有効にする手段とを備えたところにある（請求項３）。
【００１５】
これによって、利用者を特定する指紋認証機能を外部装置あるいは情報家電端末に入れ込み、リモートコントローラ装置の機能を軽くすることができるため、簡易に低価格で本発明のリモートコントローラ装置を実現することができる。
【００１６】
この場合には、本発明の第二の観点として、情報家電端末の利用が許可されている利用者の指紋情報を登録する指紋登録手段と、リモートコントローラ装置から送信された指紋情報を受信する手段と、この受信する手段により受信された指紋情報と前記指紋登録手段に登録されている前記指紋情報とを照合して認証する指紋認証手段と、この指紋認証手段による認証結果を前記リモートコントローラ装置に送信する手段とを備えた認証装置が挙げられる（請求項４）。さらに、本発明の第三の観点として、本発明の認証装置を備えた情報家電端末が挙げられる（請求項５）。
【００１７】
また、本発明のリモートコントローラ装置の前記指紋入力手段を電源投入スイッチに備えることができる（請求項６）。これによれば、リモートコントローラ装置を利用して情報家電端末の利用者が当該情報家電端末の電源を投入する際に、無意識の内に、指紋入力を済ませることができる。したがって、利用者は、指紋入力を行う煩わしさを回避することができる。
【００１８】
また、複数のコンテンツ蓄積領域のいずれかを選択する複数の選択スイッチを備え、前記指紋入力手段を当該選択スイッチに備えることができる（請求項７）。
【００１９】
これによれば、リモートコントローラ装置を利用して情報家電端末の利用者がコンテンツ蓄積領域を選択する際に、無意識の内に、指紋入力を済ませることができる。したがって、利用者は、指紋入力を行う煩わしさを回避することができる。
【００２０】
また、前記選択スイッチ毎に指紋入力を行う利用者をそれぞれ登録する手段と、この登録する手段に登録された前記選択スイッチと利用者との組み合わせ以外の組み合わせによる指紋認証を拒否する手段とを備えることができる（請求項８）。
【００２１】
これによれば、誤って、あるいは、故意に、自分のコンテンツ蓄積領域に蓄積されているコンテンツを他人が閲覧するといった行為を回避することができる。
【００２２】
本発明の第四の観点は、情報家電端末を遠隔からリモートコントローラ装置を用いて制御する遠隔制御方法であって、本発明の特徴とするところは、前記リモートコントローラ装置は、利用者が指紋を入力する指紋入力ステップと、前記情報家電端末の利用が許可されている利用者の指紋情報を登録する指紋登録ステップと、登録されている前記指紋情報と入力された指紋情報とを照合して認証する指紋認証ステップと、この指紋認証ステップによる認証が成功したときに前記情報家電端末に対する遠隔制御を有効にするステップとを実行するところにある（請求項９）。
【００２３】
さらに、前記リモートコントローラ装置は、前記指紋登録ステップにおける前記指紋情報の登録と共に当該利用者の識別情報（ＩＤ）を登録するステップと、この登録するステップにより登録された前記識別情報を前記情報家電端末に送信するステップとを実行することができる（請求項１０）。
【発明の効果】
【００２４】
本発明によれば、情報家電端末においてキーボードレスという家電特有の特徴を残しつつ、簡易に利用者を特定し、認証することを可能とすることができる。
【発明を実施するための最良の形態】
【００２５】
（第一実施例）
第一実施例のリモートコントローラ装置の実施例を図１および図２を参照して説明する。図１は第一実施例のリモートコントローラ装置の外観図である。図２は第一実施例のリモートコントローラ装置のブロック構成図である。
【００２６】
第一実施例は、図１および図２に示すように、情報家電端末１０６を遠隔から制御するリモコン制御機能１０４を備えたリモートコントローラ装置であって、第一実施例の特徴とするところは、利用者が指紋を入力する指紋入力機能１０１と、情報家電端末１０６の利用が許可されている利用者の指紋情報を登録する指紋登録機能１０２と、登録されている前記指紋情報と入力された指紋情報とを照合して認証する指紋照合機能１０３とを備え、この指紋照合機能１０３は、認証が成功したときにリモコン制御機能１０４を有効にする手段を備えたところにある（請求項１）。
【００２７】
すなわち、第一実施例は、情報家電端末１０６を遠隔からリモートコントローラ装置を用いて制御する遠隔制御方法であって、第一実施例の特徴とするところは、リモートコントローラ装置は、利用者が指紋を入力する指紋入力ステップと、情報家電端末１０６の利用が許可されている利用者の指紋情報を登録する指紋登録ステップと、登録されている前記指紋情報と入力された指紋情報とを照合して認証する指紋認証ステップと、この指紋認証ステップによる認証が成功したときに情報家電端末１０６に対する遠隔制御を有効にするステップとを実行するところにある（請求項９）。
【００２８】
図１に示すリモートコントローラ装置は、赤外線モジュール１０、液晶表示部１１、番号スイッチ１２、電源スイッチ１３、指紋入力部１４を有している。電源スイッチ１３により情報家電端末の電源のＯＮ／ＯＦＦを行う。指紋入力部１４を用いて情報家電端末１０６の利用者の指紋の入力を行う。液晶表示部１１には指紋認証の結果が表示され、認証成功の場合には登録されている利用者名も一緒に表示される。さらに認証成功の場合は番号スイッチ１２が使用可能になり、情報家電端末１０６を操作することができるようになる。番号スイッチ１２を用いて操作した情報は赤外線モジュール１０から赤外線信号として送信される。
【００２９】
次に、図２の機能構成を説明する。利用者１００は、指紋入力機能１０１により指紋の入力を行う。まず、始めに指紋入力機能１０１に入力された指紋情報を指紋登録機能１０２に登録する。このとき使用する指は特に指定しないが、登録に使用した指と認証に使用する指とは同一のものとする。また、一人で複数の指を登録してもよい。
【００３０】
実際に情報家電端末１０６を使用する場合には、入力された指紋情報と登録されている指紋情報とを指紋照合機能１０３で照合して認証を行い、リモコン制御機能１０４で認証結果を用いる。認証結果が成功ならばそのリモートコントローラ装置は使用できるようになるが、失敗の場合は使用できなくなる。
【００３１】
リモコン制御機能１０４での制御信号は赤外線送信機能１０５により、情報家電端末１０６に送信される。このときの通信手段は通常赤外線リモートコントローラ装置で使用される方式を用いることを想定しているが、情報家電端末１０６の方が対応しているならばＩｒＤＡ方式を用いてもよい。
【００３２】
（第二実施例）
第二実施例を図３を参照して説明する。図３は第二実施例のリモートコントローラ装置のブロック構成図である。
【００３３】
第二実施例のリモートコントローラ装置は、図３に示すように、図２の構成に加えて、指紋登録機能１０２への指紋情報の登録と共に当該利用者の識別情報（ＩＤ）を登録する利用者ＩＤ入力機能１１０および利用者ＩＤ登録機能１１１と、この利用者ＩＤ登録機能１１１により登録されたＩＤを情報家電端末１０６に送信する利用者ＩＤ送信機能１１２とを備える（請求項２）。
【００３４】
すなわち、第二実施例のリモートコントローラ装置は、指紋登録機能１０２への指紋情報の登録を行う際に、当該利用者のＩＤを利用者ＩＤ登録機能１１１に登録するステップと、この登録するステップにより登録されたＩＤを利用者ＩＤ送信機能１１２により情報家電端末１０６に送信するステップとを実行する（請求項１０）。
【００３５】
図３の機能構成について説明する。指紋入力機能１０１から指紋照合機能１０３までは図２の構成と同様である。指紋を登録するのと同時に、登録した指紋情報に対応する利用者ＩＤを登録する。利用者１００は利用者ＩＤ入力機能１１０により利用者ＩＤを入力し、利用者ＩＤ登録機能１１１に登録する。
【００３６】
実際に使用する際に利用者１００が指紋認証行い、指紋照合機能１０３で認証成功となった場合には該当する利用者ＩＤを利用者ＩＤ登録機能１１１から利用者ＩＤ送信機能１１２に抽出し、赤外線送信機能１０５により情報家電端末１０６に送信する。
【００３７】
これによれば、情報家電端末１０６がネットワーク接続可能な場合であって、ネットワークを利用するための利用者認証に当該利用者１００のＩＤを必要とするときに、利用者１００は、本実施例のリモートコントローラ装置の利用者ＩＤ登録機能１１１に登録されたＩＤを情報家電端末１０６に利用者ＩＤ送信機能１１２を用いて送信すれば、利用者１００は情報家電端末１０６を使用する度に自分のＩＤを入力し直す手間を省くことができる。
【００３８】
（第三実施例）
本発明第三実施例のリモートコントローラ装置を図４ないし図６を参照して説明する。図４は第三実施例のリモートコントローラ装置および情報家電端末のブロック構成図である。図５および図６は第三実施例の情報家電端末における指紋認証機能のブロック構成図である。
【００３９】
第三実施例は、図４に示すように、情報家電端末１０６を遠隔から制御するリモコン制御機能１０４を備えたリモートコントローラ装置であって、第三実施例の特徴とするところは、利用者が指紋を入力する指紋入力機能１０１と、この指紋入力機能１０１に入力された指紋情報を送信する指紋情報送信機能１２０と、認証結果を受信する認証結果受信機能１２３とを備え、この認証結果受信機能１２３は、受信された認証結果により認証成功が通知されたときにリモコン制御機能１０４を有効にする手段を備えたところにある（請求項３）。
【００４０】
さらに、第三実施例では、情報家電端末１０６に指紋認証機能１２２を備える。この指紋認証機能１２２は、図５に示すように、情報家電端末１０６の利用が許可されている利用者の指紋情報を登録する指紋登録機能１３５と、リモートコントローラ装置から送信された指紋情報を赤外線送受信機能１３０を介して受信する指紋情報受信機能１３１と、この指紋情報受信機能１３１により受信された指紋情報と指紋登録機能１３５に登録されている前記指紋情報とを照合して認証する指紋照合機能１３２と、この指紋照合機能１３２による認証結果を赤外線送受信機能１３０を介してリモートコントローラ装置に送信する認証結果送信機能１３３とを備える（請求項４、５）。
【００４１】
図５の例では、情報家電端末１０６側に指紋入力機能１３４を備えており、指紋登録機能１３５への指紋情報の登録は、利用者が情報家電端末１０６の指紋入力機能１３４に指を押し当てることによって行う。
【００４２】
しかし、図５の例では、リモートコントローラ装置側の指紋入力機能１０１の他に情報家電端末１０６側にも指紋入力機能１３４を備える必要があるので、図６に示すように、情報家電端末１０６側の指紋入力機能１３４は省き、リモートコントローラ装置の指紋入力機能１０１を用いて指紋登録機能１３５に指紋情報の登録を行う構成としてもよい。
【００４３】
この場合には、指紋情報受信機能１３１と指紋登録機能１３５とが信号線によって接続される構成となり、登録される指紋情報はリモートコントローラ装置の指紋情報送信機能１２０から赤外線送受信機能１２１を介して情報家電端末１０６の赤外線送受信機能１３０に送信され、指紋情報受信機能１３１によって受信されて指紋登録機能１３５に転送される。
【００４４】
図４の機能構成について説明する。利用者１００は指紋入力機能１０１により指紋の入力を行う。入力された指紋情報は指紋情報送信機能１２０から赤外線送受信機能１２１により情報家電端末１０６に送信される。第三実施例では、情報家電端末１０６側に指紋認証機能１２２が有り、指紋の照合および認証は、情報家電端末１０６側で行われる。認証結果は、情報家電端末１０６より赤外線送受信機能１２１により認証結果受信機能１２３で受信される。その認証結果はリモコン制御機能１０４に入力され、認証結果が認証成功ならばリモートコントローラ装置は使用できるようになるが、認証失敗の場合は使用できなくなる。
【００４５】
なお、情報家電端末１０６の指紋認証機能１２２は、情報家電端末１０６から切り離して指紋認証専用の外部装置として構成することもできる。
【００４６】
（第四実施例）
第四実施例のリモートコントローラ装置を図７を参照して説明する。図７は第四実施例のリモートコントローラ装置の外観図である。第四実施例のリモートコントローラ装置は、図７に示すように、指紋入力機能１０１を電源スイッチ１５に備える（請求項６）。
【００４７】
第四実施例では、電源スイッチ１５で電源を投入すると同時に指紋入力を行い、指紋認証実行する。これにより、利用者１００の動作は通常の電源の投入という行為だけであり、指紋認証を意識することなく操作を行うことができる。
【００４８】
（第五実施例）
第五実施例のリモートコントローラ装置を図８および図９を参照して説明する。図８は第五実施例のリモートコントローラ装置の外観図である。図９は第五実施例において追加される機能を示すブロック構成図である。
【００４９】
第五実施例のリモートコントローラ装置は、図８に示すように、複数のコンテンツ蓄積領域のいずれかを選択する複数の選択スイッチ１６を備え、指紋入力機能１０１を当該選択スイッチ１６に備える（請求項７）。
【００５０】
なお、複数のコンテンツ蓄積領域は、情報家電端末１０６内のメモリに設けられる場合と、ネットワーク側にあるコンテンツ配信サーバなどに設けられる場合とがある。
【００５１】
さらに、図９に示すように、選択スイッチ１６毎に指紋入力を行う利用者をそれぞれ登録するスイッチ番号登録機能１４０を備える。指紋情報を登録するときに、番号スイッチ１２を用いてＩＤに続いてスイッチ番号を入力することにより、指紋情報とスイッチ番号とＩＤ（利用者）との対応関係が登録される。スイッチ番号登録機能１４０は、登録された選択スイッチ１６と利用者との組み合わせ以外の組み合わせによる指紋認証を拒否する手段を備える（請求項８）。
【００５２】
選択スイッチ１６は、登録されている利用者毎に異なる番号が付与された選択スイッチ１６が割当てられている。例えば、１番は父親、２番は母親、３番は息子というようにあらかじめ決めておき、父親が利用する場合には１番の選択スイッチ１６を用いて指紋認証を行うと、父親が蓄積したコンテンツのみが情報家電端末１０６の画面に表示されるようになる。
【００５３】
さらに、母親が１番の選択スイッチ１６を用いて指紋認証を行った場合には認証失敗という結果になるため、家族であっても内容を知られたくないようなコンテンツがある場合には有効である。
【００５４】
また、通常家族共通で使用する場合は、共通で使用する選択スイッチ１６を決めておいて、その選択スイッチ１６を使用すればよく、利用者毎に分ける必要のない場合には、その選択スイッチ１６のみでよいことになる。
【産業上の利用可能性】
【００５５】
本発明によれば、情報家電端末においてキーボードレスという家電特有の特徴を残しつつ、簡易に利用者を特定し、認証することを可能とすることにより、これまで以上に安全かつ便利な情報家電端末の提供を可能にすることができる。
【図面の簡単な説明】
【００５６】
【図１】第一実施例のリモートコントローラ装置の外観図。
【図２】第一実施例のリモートコントローラ装置のブロック構成図。
【図３】第二実施例のリモートコントローラ装置のブロック構成図。
【図４】第三実施例のリモートコントローラ装置のブロック構成図。
【図５】第三実施例の情報家電端末における指紋認証機能のブロック構成図。
【図６】第三実施例の情報家電端末における指紋認証機能のブロック構成図。
【図７】第四実施例のリモートコントローラ装置の外観図。
【図８】第五実施例のリモートコントローラ装置の外観図。
【図９】第五実施例において追加される機能を示すブロック構成図。
【符号の説明】
【００５７】
１０  赤外線モジュール
１１  液晶表示部
１２  番号スイッチ
１３  電源スイッチ
１４  指紋入力部
１５  電源スイッチ
１６  選択スイッチ
１００  利用者
１０１、１３４  指紋入力機能
１０２、１３５  指紋登録機能
１０３、１３２  指紋照合機能
１０４  リモコン制御機能
１０５  赤外線送信機能
１０６  情報家電端末
１１０  利用者ＩＤ入力機能
１１１  利用者ＩＤ登録機能
１１２  利用者ＩＤ送信機能
１２０  指紋情報送信機能
１２１、１３０  赤外線送受信機能
１２２  指紋認証機能
１２３  認証結果受信機能
１３１  指紋情報受信機能
１３３  認証結果送信機能
１４０  スイッチ番号登録機能
【図１】
2006180379.tif 000003
【図２】
2006180379.tif 000004
【図３】
2006180379.tif 000005
【図４】
2006180379.tif 000006
【図５】
2006180379.tif 000007
【図６】
2006180379.tif 000008
【図７】
2006180379.tif 000009
【図８】
2006180379.tif 000010
【図９】
2006180379.tif 000011